【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
基板と、
前記基板により支持された１つ又は複数の能動又は受動電子デバイスコンポーネントであり、選択的に変態可能な材料を単独で含む、１つ又は複数の能動又は受動電子デバイスコンポーネントと、を備えた過渡電子デバイスであって、
前記１つ又は複数の能動又は受動電子デバイスコンポーネントの少なくとも一部の変態が、外部又は内部刺激に応じた事前選択時間又は事前選択速度での当該過渡電子デバイスのプログラム可能な変態をもたらし、前記プログラム可能な変態が、第１の状態から第２の状態への当該過渡電子デバイスの機能の変化をもたらし、前記１つ又は複数の能動又は受動電子デバイスコンポーネントが、前記選択的に変態可能な材料の腐食速度よりも高い電気的分解速度（ＥＤＲ）を単独で特徴とし、前記ＥＤＲが、前記外部又は内部刺激に応答して事前選択過渡性プロファイルを提供するように選択された、過渡電子デバイス。
【請求項２】
過渡電子デバイスを使用する方法であって、
基板と、
前記基板により支持された１つ又は複数の能動又は受動電子デバイスコンポーネントであって、選択的に変態可能な材料を単独で含む、１つ又は複数の能動又は受動電子デバイスコンポーネントと、
を備えた前記過渡電子デバイスであり、
前記１つ又は複数の能動又は受動電子デバイスコンポーネントの少なくとも一部の変態が、外部又は内部刺激に応じた事前選択時間又は事前選択速度での当該過渡電子デバイスのプログラム可能な変態をもたらし、
前記プログラム可能な変態が、第１の状態から第２の状態への当該過渡電子デバイスの機能の変化をもたらし、前記１つ又は複数の能動又は受動電子デバイスコンポーネントが、前記選択的に変態可能な材料の腐食速度よりも高い電気的分解速度（ＥＤＲ）を単独で特徴とし、前記ＥＤＲが、前記外部又は内部刺激に応答して事前選択過渡性プロファイルを提供するように選択された、前記過渡電子デバイスを用意するステップと、
前記過渡電子デバイスを前記外部又は内部刺激に曝露することによって、前記過渡電子デバイスをプログラム可能に変態させるステップと、
を含む、方法。
【請求項３】
過渡電子デバイスを作製する方法であって、
デバイス基板を用意するステップと、
前記デバイス基板上に１つ又は複数の能動又は受動電子デバイスコンポーネントを設けるステップであって、前記１つ又は複数の能動又は受動電子デバイスコンポーネントが、選択的に変態可能な材料を単独で含み、前記１つ又は複数の能動又は受動電子デバイスコンポーネントの少なくとも一部の変態が、外部又は内部刺激に応じた事前選択時間又は事前選択速度での前記過渡電子デバイスのプログラム可能な変態をもたらし、前記プログラム可能な変態が、第１の状態から第２の状態への前記過渡電子デバイスの機能の変化をもたらし、前記１つ又は複数の能動又は受動電子デバイスコンポーネントが、前記選択的に変態可能な材料の腐食速度よりも高い電気的分解速度（ＥＤＲ）を単独で特徴とし、前記ＥＤＲが、前記外部又は内部刺激に応答して事前選択過渡性プロファイルを提供するように選択された、ステップであり、これにより前記過渡電子デバイスを生成する、ステップと、
を含む、方法。
【請求項４】
アノードと、
カソードと、
前記アノードとカソードとの間に設けられ、電荷担体を伝導可能な電解質と、
前記アノード、前記カソード、及び前記電解質を少なくとも部分的に囲むパッケージングコンポーネントと、を備えた過渡電気化学デバイスであって、
前記アノード、前記カソード、前記電解質、及び前記パッケージングコンポーネントのうちの少なくとも１つが、選択的に変態可能な材料を単独で含み、
前記アノード、前記カソード、前記電解質、及び前記パッケージングコンポーネントのうちの少なくとも１つの少なくとも一部の変態が、外部又は内部刺激に応じた当該過渡電気化学デバイスのプログラム可能な変態をもたらす、過渡電気化学デバイス。
【請求項５】
前記アノード、前記カソード、前記電解質、及び前記パッケージングコンポーネントがそれぞれ、選択的に変態可能な材料を単独で含む、請求項４に記載の過渡電気化学デバイス。
【請求項６】
完全過渡デバイスを備え、前記プログラム可能な変態が、前記アノード、前記カソード、前記電解質、及び前記パッケージングコンポーネントそれぞれの分解を含む、請求項４に記載の過渡電気化学デバイス。
【請求項７】
前記電解質が、前記カソード、前記アノード、又は両者と物理的に接触して設けられることにより、前記カソード、前記アノード、又は両者の少なくとも一部の変態を可能にする前記外部又は内部刺激を与える、請求項４に記載の過渡電気化学デバイス。
【請求項８】
前記電解質を前記カソード、前記アノード、又は両者から分離する少なくとも１つのシャッターをさらに備え、前記少なくとも１つのシャッターが、前記電解質の前記カソード、前記アノード、又は両者との物理的接触を選択的に変調することによって、前記カソード、前記アノード、又は両者の少なくとも一部の変態を可能にする前記外部又は内部刺激を与えることができる、請求項４に記載の過渡電気化学デバイス。
【請求項９】
前記カソード、前記アノード、又は両者の前記少なくとも一部の変態が、加水分解、崩壊、分解、又は腐食によって起こる、請求項７又は８に記載の過渡電気化学デバイス。
【請求項１０】
外部溶媒への曝露が、前記カソード、前記アノード、又は両者の少なくとも一部の変態を可能にする前記外部又は内部刺激である、請求項４に記載の過渡電気化学デバイス。
【請求項１１】
前記アノードが、第１の選択的に変態可能な材料を含み、前記カソードが、前記第１の選択的に変態可能な材料と異なる第２の選択的に変態可能な材料を含む、請求項４に記載の過渡電気化学デバイス。
【請求項１２】
前記アノード、前記カソード、又は両者が単独で、０．５μｍ〜１ｃｍの範囲から選択された厚さを有する金属箔又は金属若しくは半導体薄膜を含む選択的に変態可能な材料である、請求項４に記載の過渡電気化学デバイス。
【請求項１３】
前記アノード、前記カソード、又は両者が単独で、０．１μｍ〜１００μｍの範囲で選択された断面寸法を有する粒子を含む選択的に変態可能な材料である、請求項４に記載の過渡電気化学デバイス。
【請求項１４】
前記アノード、前記カソード、及び前記電解質を少なくとも部分的に囲む流体格納チャンバをさらに備えた、請求項４に記載の過渡電気化学デバイス。
【請求項１５】
前記流体格納チャンバが、選択的に変態可能な材料を単独で含む、請求項１４に記載の過渡電気化学デバイス。
【請求項１６】
前記パッケージングコンポーネントが、生体分解性のポリマーを含む、請求項４に記載の過渡電気化学デバイス。
【請求項１７】
１００μＡ／ｃｍ２以上の放電電流密度を与える、請求項４〜１６のいずれか一項に記載の過渡電気化学デバイス。
【請求項１８】
電気化学貯蔵デバイス又は電気化学変換デバイスを含む、請求項４〜１７のいずれか一項に記載の過渡電気化学デバイス。
【請求項１９】
１次バッテリ、２次バッテリ、電気化学キャパシタ、電気化学スーパーキャパシタ、又は燃料電池を含む、請求項４〜１８のいずれか一項に記載の過渡電気化学デバイス。
【請求項２０】
当該過渡電気化学デバイスに対して電子的に接続された１つ又は複数の付加的な過渡電気化学デバイスをさらに備え、前記付加的な過渡電気化学デバイスがそれぞれ、
アノードと、
カソードと、
前記アノードと前記カソードとの間に設けられ、電荷担体を伝導可能な電解質と、
前記アノード、前記カソード、及び前記電解質を少なくとも部分的に囲むパッケージングコンポーネントと、を単独で備え
前記アノード、前記カソード、前記電解質、及び前記パッケージングコンポーネントのうちの少なくとも１つが、選択的に変態可能な材料を単独で含み、
前記アノード、前記カソード、前記電解質、及び前記パッケージングコンポーネントのうちの少なくとも１つの少なくとも一部の変態が、外部又は内部刺激に応じた前記付加的な電気化学デバイスのプログラム可能な変態をもたらす、請求項４に記載の過渡電気化学デバイス。
【請求項２１】
バッテリパックを備えた、請求項４に記載の過渡電気化学デバイス。
【請求項２２】
基板と、
前記基板により支持された１つ又は複数の能動又は受動電子デバイスコンポーネントと、
前記１つ又は複数の能動又は受動電子デバイスコンポーネントに対して電気的に接続された１つ又は複数の伸縮性相互接続と、を備えた過渡伸縮性電子デバイスであって、
前記基板、前記１つ又は複数の能動又は受動電子デバイスコンポーネント、及び前記１つ又は複数の伸縮性相互接続のうちの少なくとも１つが、選択的に変態可能な材料を単独で含み、
前記基板、前記１つ又は複数の能動又は受動電子デバイスコンポーネント、及び前記１つ又は複数の伸縮性相互接続のうちの少なくとも１つの少なくとも一部の変態が、外部又は内部刺激に応じた当該過渡伸縮性電子デバイスのプログラム可能な変態をもたらす、過渡伸縮性電子デバイス。
【請求項２３】
基板と、
前記基板により支持された１つ又は複数の能動又は受動電子デバイスコンポーネントと、
前記１つ又は複数の能動又は受動電子デバイスコンポーネントに対して電気的に接続された１つ又は複数のビア又はトレンチ構造と、を備えた過渡プリント配線板であって、
前記基板、前記１つ又は複数の能動又は受動電子デバイスコンポーネント、及び前記１つ又は複数のビア又はトレンチ構造のうちの少なくとも１つが、選択的に変態可能な材料を単独で含み、
前記基板、前記１つ又は複数の能動又は受動電子デバイスコンポーネント、及び前記１つ又は複数のビア又はトレンチ構造のうちの少なくとも１つの少なくとも一部の変態が、外部又は内部刺激に応じた当該過渡プリント配線板のプログラム可能な変態をもたらす、過渡プリント配線板。
【請求項２４】
基板と、
前記基板により支持されたヒータと、
１つ又は複数の治療又は診断薬を含む送達システムであり、温度の変化に応じて前記１つ又は複数の治療又は診断薬を放出するように前記ヒータと熱的に接触した、送達システムと、を備えた過渡生物医学送達デバイスであって、
前記基板、前記ヒータ、及び前記送達システムのうちの少なくとも１つが、選択的に変態可能な材料を単独で含み、
前記基板、前記ヒータ、及び前記送達システムのうちの少なくとも１つの少なくとも一部の変態が、外部又は内部刺激に応じた当該過渡生物医学送達デバイスのプログラム可能な変態をもたらす、過渡生物医学送達デバイス。
【請求項２５】
基板と、
前記基板により支持された無線周波数識別（ＲＦＩＤ）集積回路と、
前記基板により支持されたＲＦＩＤアンテナと、
前記ＲＦＩＤ集積回路及び前記ＲＦＩＤアンテナを電気的に接続する１つ又は複数の電気的相互接続と、を備えた過渡ＲＦＩＤデバイスであって、
前記基板、前記ＲＦＩＤ集積回路、前記ＲＦＩＤアンテナ、及び前記１つ又は複数の電気的相互接続のうちの少なくとも１つが、選択的に変態可能な材料を単独で含み、
前記基板、前記ＲＦＩＤ集積回路、前記ＲＦＩＤアンテナ、及び前記１つ又は複数の電気的相互接続のうちの少なくとも１つの少なくとも一部の変態が、外部又は内部刺激に応じた当該過渡無線周波数識別（ＲＦＩＤ）デバイスのプログラム可能な変態をもたらす、過渡ＲＦＩＤデバイス。
【請求項２６】
基板と、
前記基板により支持された１つ又は複数の能動又は受動電子デバイスコンポーネントであり、選択的に変態可能な材料を単独で含む、１つ又は複数の能動又は受動電子デバイスコンポーネントと、
１つ又は複数の化学薬品を単独で含む１つ又は複数の容器と、
前記１つ又は複数の容器と熱的に接触したヒータと、を備えた過渡電子デバイスであって、
前記１つ又は複数の能動又は受動電子デバイスコンポーネントの少なくとも一部の変態が、前記ヒータが引き起こす前記１つ又は複数の容器の温度の変化に応じた当該過渡電子デバイスのプログラム可能な変態をもたらし、前記プログラム可能な変態が、第１の状態から第２の状態への当該過渡電子デバイスの機能の変化をもたらす、過渡電子デバイス。
【請求項２７】
過渡電子デバイスを使用する方法であって、
基板と、
前記基板により支持された１つ又は複数の能動又は受動電子デバイスコンポーネントであって、選択的に変態可能な材料を単独で含む、１つ又は複数の能動又は受動電子デバイスコンポーネントと、
１つ又は複数の化学薬品を単独で含む１つ又は複数の容器と、
前記１つ又は複数のチャンバと熱的に接触したヒータと、
を備えた前記過渡電子デバイスであり、
前記１つ又は複数の能動又は受動電子デバイスコンポーネントの少なくとも一部の変態が、外部又は内部刺激に応じた当該過渡電子デバイスのプログラム可能な変態をもたらす、前記過渡電子デバイスを用意するステップと、
前記ヒータを用いて前記１つ又は複数の容器の温度を上昇させることにより、前記外部又は内部刺激をもたらして、前記過渡電子デバイスの前記プログラム可能な変態を生じるステップと、
を含む、方法。